【手続補正書】
【提出日】平成27年12月21日(2015.12.21)
【手続補正１】
【補正対象書類名】明細書
【補正対象項目名】００１７
【補正方法】変更
【補正の内容】
【００１７】
視覚的には大きな一つの円を描画することには成功している。しかしながら、例えば手書きされた文字を認識して文字のコードを生成するような文字認識システムに於いては、その認識にストロークの情報を利用しており、これが大きな円であることを到底認識することはできない。つまり誤認識する結果となり、ユーザーの意図と異なる動作をする重大な課題が露見することになる。
【手続補正２】
【補正対象書類名】明細書
【補正対象項目名】００１８
【補正方法】変更
【補正の内容】
【００１８】
本発明は上記課題を解決するためになされたものであり、複数の座標入力装置同士を接続し、各々の座標入力有効領域をあたかも連結したように扱っても、快適な操作性を実現するための技術を提供することを目的とする。
【手続補正３】
【補正対象書類名】明細書
【補正対象項目名】００１９
【補正方法】変更
【補正の内容】
【００１９】
上記目的を達成するため、本発明による検出装置は以下の構成を備える。即ち、
第１の操作面に対して操作者によりなされたタッチ操作のタッチ位置を検出する第１の検出手段と、
第２の操作面に対して前記操作者によりなされたタッチ操作のタッチ位置を検出する第２の検出手段と、
前記第１の検出手段がタッチ操作の終了を検出した後、所定時間以内に前記第２の検出手段がタッチ操作の開始を検出したときは、前記第１の操作面に対するタッチ操作と前記第２の操作面に対するタッチ操作とは同一ストロークの操作であると判定する判定手段と、
を備える。
【手続補正４】
【補正対象書類名】明細書
【補正対象項目名】００２０
【補正方法】変更
【補正の内容】
【００２０】
本発明によれば、複数の座標入力装置同士を接続し、各々の座標入力有効領域をあたかも連結したように扱っても、快適な操作性を実現するための技術を提供することができる。
【手続補正５】
【補正対象書類名】明細書
【補正対象項目名】００２１
【補正方法】変更
【補正の内容】
【００２１】
【図１】本実施形態における情報処理装置のハードウェア構成を示す図
【図２】本実施形態におけるシステム構成とアップ/ダウン信号の説明図
【図３】座標入力装置の構成の一例を示す図
【図４】本実施形態における処理手順を示すフローチャート
【図５】２つの座標入力装置のつなぎ目部分を拡大した模式図
【図６】従来の座標入力装置のシステム構成の説明図
【手続補正６】
【補正対象書類名】明細書
【補正対象項目名】００４３
【補正方法】変更
【補正の内容】
【００４３】
角度検出センサ１２５ｃ、１２５ｄの角度検出結果に基づき、座標入力領域１３０内の領域omnの範囲内にタッチした位置座標を検出できることが説明された。同様に、角度検出センサの組み合わせを変更することによって、座標入力有効領域内にタッチされた位置を全て算出することが可能となる。そして、座標検出に必要な構成は２つの筺体１２１、１２２に全て収納されているので、図に於いて座標入力領域１３０の左右には、一切の構造体は存在していない。したがって、この座標入力装置を図３（Ｂ）のように連結すれば、座標入力領域１３０は、角度検出センサ１２５ａ〜１２５ｄの４つのセンサで、座標入力領域１３２は角度検出センサ１３１ａ〜１３１ｄでカバーすることが可能となる。つまり、座標入力領域１３０と１３２の間には、座標入力装置等の構造体は存在することなく、しかも隙間なく座標入力領域が連結された状態となっている。
【手続補正７】
【補正対象書類名】明細書
【補正対象項目名】００４７
【補正方法】変更
【補正の内容】
【００４７】
（処理手順）
そこで、本実施形態では、第１の座標入力装置にタッチダウンがなされ、その後タッチアップがなされた場合に、タッチアップ後、所定時間内に第２の座標入力装置にタッチダウンがなされたときは、タッチダウンが連続していたとして処理する。すなわち、第１の操作面に対するタッチ操作の終了を検出した後、所定時間以内に第２の操作面に対するタッチ操作の開始を検出したときは、第１、第２の操作面に対するタッチ操作は同一ストロークの操作であると判定する。このように、本実施形態では、第１、第２の座標入力装置の操作が時間的に近接しているときは、連続した一つの操作（同一ストローク）として扱うことで、システムが入力有効領域をまたがった操作を一つの操作として認識できるようにする。
【手続補正８】
【補正対象書類名】明細書
【補正対象項目名】００４９
【補正方法】変更
【補正の内容】
【００４９】
装置の電源が投入されると、カウンタの値等はリセットされて初期状態（Flag＝０、Count＝０）に設定される。まず、Ｓ１０１では、操作者がタッチ動作を行ったことにより、その位置座標が検出されたかを判定する。タッチ操作が行われてなければ（Ｓ１０１でNO）、Ｓ１０２へ進みフラグの値を判定する。操作者のタッチがないときは初期状態にある（Flag＝０）ので（Ｓ１０２でYES）、Ｓ１０３を経て、Ｓ１０１に戻る。このループを繰り返している間に、タッチ操作が行われると（Ｓ１０１でYES）、Ｓ１０８において、タッチ位置の算出、ＩＤ値の取得、カウンタのリセット（Count＝０）等が行われ、Ｓ１０９でフラグの判定が行われる。ここでの例では、フラグは初期状態（Flag＝０）であるからＳ１１３に進み（Ｓ１０９でYES）、どの座標入力装置から座標値が出力されたかを示すＩＤ値を記憶する。そして、Ｓ１１４でFlag＝１にセットして、Ｓ１１５で検出した座標値、及びダウン信号、ＩＤ値を例えばＰＣ等に出力してＳ１０１に戻る。
【手続補正９】
【補正対象書類名】特許請求の範囲
【補正対象項目名】全文
【補正方法】変更
【補正の内容】
【特許請求の範囲】
【請求項１】
第１の操作面に対して操作者によりなされたタッチ操作のタッチ位置を検出する第１の検出手段と、
第２の操作面に対して前記操作者によりなされたタッチ操作のタッチ位置を検出する第２の検出手段と、
前記第１の検出手段がタッチ操作の終了を検出した後、所定時間以内に前記第２の検出手段がタッチ操作の開始を検出したときは、前記第１の操作面に対するタッチ操作と前記第２の操作面に対するタッチ操作とは同一ストロークの操作であると判定する判定手段と、
を備えることを特徴とする検出装置。
【請求項２】
前記第１の検出手段または前記第２の検出手段が検出したタッチ操作のタッチ位置を示す位置情報を情報処理装置へ出力する出力手段を備えることを特徴とする請求項２に記載の検出装置。
【請求項３】
前記判定手段は、前記第１の検出手段がタッチ操作の終了を検出した前記第１の操作面におけるタッチ位置と、前記第２の検出手段がタッチ操作の開始を検出した前記第２の操作面におけるタッチ位置との間の距離が所定の距離以内の場合は、前記第１の操作面に対するタッチ操作と前記第２の操作面に対するタッチ操作とは同一ストロークの操作であると判定することを特徴とする請求項１または２に記載の検出装置。
【請求項４】
前記判定手段は、前記第１の検出手段がタッチ操作の終了を検出したときのストロークの向きと、前記第２の検出手段がタッチ操作の開始を検出したときのストロークの向きとの差が所定以内の場合は、前記第１の操作面に対するタッチ操作と前記第２の操作面に対するタッチ操作とは同一ストロークの操作であると判定することを特徴とする請求項１または２に記載の検出装置。
【請求項５】
第１の操作面に対して操作者によりなされたタッチ操作のタッチ位置を検出する第１の検出手段と、
第２の操作面に対して前記操作者によりなされたタッチ操作のタッチ位置を検出する第２の検出手段と、
前記第１の操作面または前記第２の操作面に対してタッチ操作が開始されたことに応じてタッチダウン信号を情報処理装置へ出力し、前記第１の操作面に対するタッチ操作が終了してから所定時間経過後にタッチアップ信号を前記情報処理装置へ出力する出力手段と
を備え、
前記出力手段は、前記第１の操作面に対するタッチ操作の終了を検出した後、前記所定時間以内に前記第２の操作面に対するタッチ操作の開始を検出したときは、前記タッチアップ信号を前記情報処理装置へ出力しない
ことを特徴とする検出装置。
【請求項６】
前記出力手段は、前記第１の検出手段または前記第２の検出手段が検出したタッチ操作のタッチ位置を示す位置情報を前記情報処理装置へ出力することを特徴とする請求項５に記載の検出装置。
【請求項７】
前記出力手段は、前記第１の検出手段がタッチ操作の終了を検出した前記第１の操作面におけるタッチ位置と、前記第２の検出手段がタッチ操作の開始を検出した前記第２の操作面におけるタッチ位置との間の距離が所定の距離以内の場合は、前記タッチアップ信号を前記情報処理装置へ出力しないことを特徴とする請求項５または６に記載の検出装置。
【請求項８】
前記出力手段は、前記第１の検出手段がタッチ操作の終了を検出したときのストロークの向きと、前記第２の検出手段がタッチ操作の開始を検出したときのストロークの向きとの差が所定以内の場合は、前記タッチアップ信号を前記情報処理装置へ出力しないことを特徴とする請求項５または６に記載の検出装置。
【請求項９】
第１の操作面に対して操作者によりなされたタッチ操作のタッチ位置を検出する検出手段と、
第２の操作面に対して前記操作者によりなされたタッチ操作のタッチ位置を検出する第２の検出装置の出力を入力する入力手段と、
前記検出手段がタッチ操作の終了を検出した後、所定時間以内に前記第２の操作面に対するタッチ操作の開始を前記第２の検出装置が検出したときは、前記第１の操作面に対するタッチ操作と前記第２の操作面に対するタッチ操作とは同一ストロークの操作であると判定する判定手段と、
を備えることを特徴とする検出装置。
【請求項１０】
前記検出手段または前記第２の検出装置が検出したタッチ操作のタッチ位置を示す位置情報を情報処理装置へ出力する出力手段を備えることを特徴とする請求項９に記載の検出装置。
【請求項１１】
前記判定手段は、前記検出手段がタッチ操作の終了を検出した前記第１の操作面におけるタッチ位置と、前記第２の検出装置がタッチ操作の開始を検出した前記第２の操作面におけるタッチ位置との間の距離が所定の距離以内の場合は、前記第１の操作面に対するタッチ操作と前記第２の操作面に対するタッチ操作とは同一ストロークの操作であると判定することを特徴とする請求項９または１０に記載の検出装置。
【請求項１２】
前記判定手段は、前記検出手段がタッチ操作の終了を検出したときのストロークの向きと、前記第２の検出装置がタッチ操作の開始を検出したときのストロークの向きとの差が所定以内の場合は、前記第１の操作面に対するタッチ操作と前記第２の操作面に対するタッチ操作とは同一ストロークの操作であると判定することを特徴とする請求項９または１０に記載の検出装置。
【請求項１３】
複数の操作面のそれぞれに対する操作者によるタッチ操作を検出するために複数の操作面に対応して設けられた複数の検出装置から信号を受信する情報処理装置であって、
操作面に対してタッチ操作が開始されたことに応じて当該操作面に対応する検出装置から出力されるタッチダウン信号を受信し、操作面に対するタッチ操作が終了したことに応じて当該操作面に対応する検出装置から出力されるタッチアップ信号を受信し、操作者がタッチ操作を行っているタッチ位置を示す位置情報を前記検出装置から受信する受信手段と、
第１の操作面に対するタッチ操作の終了を示すタッチアップ信号を第１の検出装置から受信した後、所定時間以内に第２の操作面に対するタッチ操作の開始を示すタッチダウン信号を第２の検出装置から受信したときは、前記第１の操作面に対するタッチ操作と前記第２の操作面に対するタッチ操作とは同一ストロークの操作であると判定する判定手段と
を備えることを特徴とする情報処理装置。
【請求項１４】
複数の操作面のそれぞれに対する操作者によるタッチ操作を検出するために複数の操作面に対応して設けられた複数の検出装置と、情報処理装置とを有する情報処理システムであって、
前記複数の検出装置の各々は、
操作者がタッチ操作を行っているタッチ位置を検出する検出手段と、
対応する操作面に対してタッチ操作が開始されたことに応じてタッチダウン信号を前記情報処理装置へ出力し、対応する操作面に対するタッチ操作が終了したことに応じてタッチアップ信号を前記情報処理装置へ出力し、前記検出手段が検出した前記タッチ位置を示す位置情報を前記情報処理装置へ出力する出力手段と
を備え、
前記情報処理装置は、第１の操作面に対するタッチ操作の終了を示すタッチアップ信号を第１の検出装置から受信した後、所定時間以内に第２の操作面に対するタッチ操作の開始を示すタッチダウン信号を第２の検出装置から受信したときは、前記第１の操作面に対するタッチ操作と前記第２の操作面に対するタッチ操作とは同一ストロークの操作であると判定する判定手段を備える
ことを特徴とする情報処理システム。
【請求項１５】
操作者による操作面に対するタッチ操作を検出する検出装置の検出方法であって、
第１の検出手段が、第１の操作面に対して操作者によりなされたタッチ操作のタッチ位置を検出する第１の検出工程と、
第２の検出手段が、第２の操作面に対して前記操作者によりなされたタッチ操作のタッチ位置を検出する第２の検出工程と、
判定手段が、前記第１の操作面に対するタッチ操作の終了を検出した後、所定時間以内に前記第２の操作面に対するタッチ操作の開始を検出したときは、前記第１の操作面に対するタッチ操作と前記第２の操作面に対するタッチ操作とは同一ストロークの操作であると判定する判定工程と、
を有することを特徴とする検出方法。
【請求項１６】
操作者による操作面に対するタッチ操作を検出する検出装置の検出方法であって、
第１の検出手段が、第１の操作面に対して操作者によりなされたタッチ操作のタッチ位置を検出する第１の検出工程と、
第２の検出手段が、第２の操作面に対して前記操作者によりなされたタッチ操作のタッチ位置を検出する第２の検出工程と、
出力手段が、前記第１の操作面または前記第２の操作面に対してタッチ操作が開始されたことに応じてタッチダウン信号を情報処理装置へ出力する第１の出力工程と、
前記出力手段が、前記第１の操作面に対するタッチ操作が終了してから所定時間経過後にタッチアップ信号を前記情報処理装置へ出力する第２の出力工程と
を有し、
前記第２の出力工程においては、前記第１の操作面に対するタッチ操作の終了を検出した後、前記所定時間以内に前記第２の操作面に対するタッチ操作の開始を検出したときは、前記タッチアップ信号を前記情報処理装置へ出力しない
ことを特徴とする検出方法。
【請求項１７】
操作者による操作面に対するタッチ操作を検出する検出装置の検出方法であって、
検出手段が、第１の操作面に対して操作者によりなされたタッチ操作のタッチ位置を検出する検出工程と、
入力手段が、第２の操作面に対して前記操作者によりなされたタッチ操作のタッチ位置を検出する第２の検出装置の出力を入力する入力工程と、
判定手段が、前記検出手段がタッチ操作の終了を検出した後、所定時間以内に前記第２の操作面に対するタッチ操作の開始を前記第２の検出装置が検出したときは、前記第１の操作面に対するタッチ操作と前記第２の操作面に対するタッチ操作とは同一ストロークの操作であると判定する判定工程と、
を有することを特徴とする検出方法。
【請求項１８】
複数の操作面のそれぞれに対する操作者によるタッチ操作を検出するために複数の操作面に対応して設けられた複数の検出装置から信号を受信する情報処理装置の情報処理方法であって、
受信手段が、操作面に対してタッチ操作が開始されたことに応じて当該操作面に対応する検出装置から出力されるタッチダウン信号を受信する第１の受信工程と、
前記受信手段が、操作面に対するタッチ操作が終了したことに応じて当該操作面に対応する検出装置から出力されるタッチアップ信号を受信する第２の受信工程と、
前記受信手段が、操作者がタッチ操作を行っているタッチ位置を示す位置情報を前記検出装置から受信する第３の受信工程と、
判定手段が、第１の操作面に対するタッチ操作の終了を示すタッチアップ信号を第１の検出装置から受信した後、所定時間以内に第２の操作面に対するタッチ操作の開始を示すタッチダウン信号を第２の検出装置から受信したときは、前記第１の操作面に対するタッチ操作と前記第２の操作面に対するタッチ操作とは同一ストロークの操作であると判定する判定工程と
を有することを特徴とする情報処理方法。
【請求項１９】
複数の操作面のそれぞれに対する操作者によるタッチ操作を検出するために複数の操作面に対応して設けられた複数の検出装置と、情報処理装置とを有する情報処理システムにおける情報処理方法であって、
前記検出装置が、対応する操作面に対してタッチ操作が開始されたことに応じてタッチダウン信号を前記情報処理装置へ出力する第１の出力工程と、
前記検出装置が、対応する操作面に対するタッチ操作が終了したことに応じてタッチアップ信号を前記情報処理装置へ出力する第２の出力工程と、
前記検出装置が、操作者がタッチ操作を行っているタッチ位置を検出する検出工程と、
前記検出装置が、前記検出工程において検出した前記タッチ位置を示す位置情報を前記情報処理装置へ出力する第３の出力工程と、
前記情報処理装置が、第１の操作面に対するタッチ操作の終了を示すタッチアップ信号を第１の検出装置から受信した後、所定時間以内に第２の操作面に対するタッチ操作の開始を示すタッチダウン信号を第２の検出装置から受信したときは、前記第１の操作面に対するタッチ操作と前記第２の操作面に対するタッチ操作とは同一ストロークの操作であると判定する判定工程と
を有することを特徴とする情報処理方法。
【請求項２０】
コンピュータを請求項１３に記載の情報処理装置が備える各手段として機能させるためのコンピュータプログラム。